(57)【要約】  【課題】使用者による電話番号入力の操作等を簡略化することによって、使用者による電話番号入力の支援等を行うことのできる電話番号入力支援装置を提供すること。  【解決手段】入力手段から入力される電話番号の入力支援を行うための電話番号入力支援装置において、エリアと市外局番とを対応づけて記憶する市外局番記憶手段と、所定のエリアＥ、又は所定のエリアＥ以外を選択する選択手段と、選択された所定のエリアＥに対応する市外局番を、市外局番記憶手段から読み出す市外局番読出手段と、読み出された市外局番を入力された電話番号に付加する市外局番付加手段とを装備する。  【選択図】  図２
2006229434.tif 000002
【特許請求の範囲】
【請求項１】
入力手段から入力される電話番号の入力支援を行うための電話番号入力支援装置におい
て、
エリアと市外局番とを対応付けて記憶する市外局番記憶手段と、
所定のエリア、又は該所定のエリア以外を選択する選択手段と、
該選択手段により選択された前記所定のエリアに対応する市外局番を、前記市外局番記
憶手段から読み出す市外局番読出手段と、
該市外局番読出手段により読み出された市外局番を、前記入力手段から入力された電話
番号に付加する市外局番付加手段とを備えていることを特徴とする電話番号入力支援装置
。
【請求項２】
前記所定のエリアが、現在位置を含むエリア、又は前記使用者の活動拠点を含むエリア
であることを特徴とする請求項１記載の電話番号入力支援装置。
【請求項３】
前記入力手段から入力された電話番号を表示領域へ表示する電話番号表示手段と、
前記市外局番読出手段により読み出された前記所定のエリアに対応する市外局番を、予
め前記表示領域へ表示しておく市外局番表示手段とを備えていることを特徴とする請求項
１又は請求項２記載の電話番号入力支援装置。
【請求項４】
前記入力手段から最初に入力された番号が０であるか否かを判断する番号判断手段と、
該番号判断手段により、前記入力手段から最初に入力された番号が０以外であると判断
された場合、前記入力手段から入力された番号を、市内局番以降の電話番号として採用す
る第１の採用手段と、
前記番号判断手段により、前記入力手段から最初に入力された番号が０であると判断さ
れた場合、前記入力手段から入力された番号を、市外局番を含んだ電話番号として採用す
る第２の採用手段とを備えていることを特徴とする請求項３記載の電話番号入力支援装置
。
【請求項５】
使用者による電話番号入力の支援等を行うための電話番号入力支援装置において、
入力手段から入力された電話番号のダイヤルアップを行うダイヤルアップ手段と、
該ダイヤルアップ手段によりダイヤルアップされる電話番号に対応する地点を含む地図
データを地図データ記憶手段から読み出し、前記地点を含む地図を表示する地図表示手段
とを備えていることを特徴とする電話番号入力支援装置。
【請求項６】
前記ダイヤルアップ手段によりダイヤルアップが行われた後、使用者により前記地図の
表示が指示されたか否かを判断する表示指示判断手段と、
該表示指示判断手段により前記地図の表示が指示されたと判断された場合、前記地図表
示手段による前記地図の表示を行わせる表示制御手段とを備えていることを特徴とする請
求項５記載の電話番号入力支援装置。
【請求項７】
前記地図表示手段により前記地図が表示された後、使用者によりダイヤルアップの開始
が指示されたか否かを判断する開始指示判断手段と、
該開始指示判断手段によりダイヤルアップの開始が指示されたと判断された場合、前記
ダイヤルアップ手段によるダイヤルアップを行わせる開始制御手段とを備えていることを
特徴とする請求項５記載の電話番号入力支援装置。
【請求項８】
使用者による電話番号入力の支援等を行うための電話番号入力支援装置において、
地図データ記憶手段から読み出した地図データに基づいて、地図を表示する地図表示手
段と、
該地図表示手段により地図が表示されているときに、使用者により特定された前記地図
上の地点に対応する電話番号を、位置と電話番号とを対応付けて記憶する電話番号記憶手
段から読み出す電話番号読出手段と、
該電話番号読出手段により読み出された電話番号のダイヤルアップを行うダイヤルアッ
プ手段とを備えていることを特徴とする電話番号入力支援装置。
【請求項９】
前記電話番号読出手段により読み出された電話番号を表示する電話番号表示手段と、
該電話番号表示手段により表示された電話番号のダイヤルアップの開始が指示されたか
否かを判断する開始指示判断手段と、
該開始指示判断手段により前記開始が指示されたと判断された場合、前記ダイヤルアッ
プ手段によるダイヤルアップを行わせる開始制御手段とを備えていることを特徴とする請
求項８記載の電話番号入力支援装置。
【請求項１０】
入力手段から入力された電話番号に対応する地点及び／又はエリアを特定する特定手段
と、
該特定手段により特定された地点及び／又はエリアを含む地図データを地図データ記憶
手段から読み出し、前記電話番号に対応する地点及び／又はエリアを含む地図を表示する
地図表示手段と、
前記電話番号に対応する地点及び／又はエリアの表示と他の部分の表示とを差別化する
表示差別化手段とを備えていることを特徴とする地図表示装置。
【請求項１１】
前記地図表示手段が、前記入力手段から入力された電話番号の桁数の増加及び／又は減
少に合わせて、前記電話番号に対応する地点及び／又はエリアを含む地図を表示するもの
であることを特徴とする請求項１０記載の地図表示装置。
【請求項１２】
前記入力手段から入力された電話番号に対応するエリアの大きさに基づいて、地図の縮
尺率を設定する縮尺率設定手段を備え、
前記地図表示手段が、前記縮尺率設定手段により設定された縮尺率に基づいて、前記地
図を表示するものであることを特徴とする請求項１０又は請求項１１記載の地図表示装置
。
【発明の詳細な説明】
【技術分野】
【０００１】
本発明は電話番号入力支援装置、及び地図表示装置に関し、より詳細には、電話番号入
力の操作等を支援するための電話番号入力支援装置、及び電話番号に対応する地図を表示
させるための地図表示装置に関する。
【背景技術】
【０００２】
ナビゲーション装置においては、地図データに基づいて、表示装置の画面上に地図が表
示され、その地図上に使用者により設定された目的地、該目的地へ至る誘導経路、自己の
現在位置を示した自己位置マーク、及びそれまでの自己の移動軌跡等が重ねて表示される
ようになっている。これにより、前記使用者は前記画面上に表示されている地図を逐次参
照することで、進路情報を得ることができ、その進路情報に従うことで前記目的地に到達
することができるようになっている。
【０００３】
該目的地を設定する方法としては、住所入力や名称入力、電話番号入力による方法など
が挙げられる。例えば、目的地設定画面上で前記使用者により電話番号入力が選択される
と、電話番号入力画面が表示され、該電話番号入力画面上で前記使用者により市外局番を
含めた１０桁の番号（例えば、市外局番０６−市内局番６×××−加入者番号５×××）
が入力されると、その番号に対応する地点（例えば、施設）が前記目的地として設定され
るようになっている。
【０００４】
しかしながら、従来の電話番号入力による前記目的地の設定では、前記使用者は市外局
番を含めた１０桁の番号を入力しなければならず、例えば、前記目的地として設定しよう
とする施設の電話番号の市外局番が分からなければ、電話番号入力によって前記目的地を
設定することはできない。また、市外局番、市内局番、及び加入者番号を全て入力するこ
とは非常に手間であり、また入力間違いも生じやすい。
【０００５】
市外局番の入力を必要としない電話番号入力を実現するものとして、例えば、下記の特
許文献１、２に、現在位置情報に基づいて、現在位置に対応する市外局番を得るようにし
て、前記使用者が市外局番を入力しなくても良いようにし、前記使用者が市内局番以降（
すなわち、市内局番と加入者番号）についてのみ入力すれば良いようにしたものが開示さ
れている。
しかしながら、現在位置と異なる別の地域に存在する施設が前記目的地として設定され
ることが比較的多く、上記したような現在位置に対応する市外局番を得る方法だけでは、
目的地設定にあまり向いているとは言えない。
【０００６】
ところで、（移動体通信網ではなく）固定電話網に属している一般加入電話から、同じ
市内の別の一般加入電話へ電話を掛ける場合、使用者は市外局番については入力しなくて
も良く、市内局番以降についてのみ入力すれば良いようになっている。
しかしながら、移動体通信網に属している携帯電話などの移動体通信機から、一般加入
電話へ電話を掛ける場合には、相手先が前記使用者と同じ市内にいたとしても、市外局番
、市内局番、及び加入者番号の全てを入力しなくてはならない。これは、非常に手間であ
り、また入力間違いも生じやすい。
【０００７】
また、ある施設へ電話を掛ける場合、前記施設がどの辺りに存在するのかが分かれば非
常に便利である。例えば、行ったことのない飲食店へ、電話を掛けて予約を入れようとす
る場合、前記飲食店を含むその周辺を示した地図が表示されれば非常に便利である。しか
しながら、電話の相手先となる施設の場所を示した地図を表示するといったものはこれま
でになかった。
【特許文献１】特開平７−４９９９５号公報
【特許文献２】特開２００２−１８６０３５号公報
【発明の開示】
【課題を解決するための手段及びその効果】
【０００８】
本発明は上記課題に鑑みなされたものであって、使用者による電話番号入力の操作等を
簡略化することや、電話を掛ける相手先の場所を前記使用者へ紹介することによって、前
記使用者による電話番号入力の支援等を行うことのできる電話番号入力支援装置、及び地
図を表示することによって、前記使用者による電話番号入力の支援等を行うことのできる
地図表示装置を提供することを目的としている。
【０００９】
上記目的を達成するために本発明に係る電話番号入力支援装置（１）は、入力手段から
入力される電話番号の入力支援を行うための電話番号入力支援装置において、エリアと市
外局番とを対応付けて記憶する市外局番記憶手段と、所定のエリア、又は該所定のエリア
以外を選択する選択手段と、該選択手段により選択された前記所定のエリアに対応する市
外局番を、前記市外局番記憶手段から読み出す市外局番読出手段と、該市外局番読出手段
により読み出された市外局番を、前記入力手段から入力された電話番号に付加する市外局
番付加手段とを備えていることを特徴としている。
【００１０】
上記電話番号入力支援装置（１）によれば、使用者により入力された市内局番以降の電
話番号に、前記所定のエリア（例えば、現在位置を含む市内）に対応する市外局番が付加
される。これにより、前記所定のエリアに属する施設の電話番号を入力する場合、前記使
用者は市内局番以降についてのみ入力すれば良く、市外局番を入力しなくても良いように
することができる。
【００１１】
また、前記使用者により入力された市内局番以降の電話番号に付加されるのは、前記所
定のエリアに対応する市外局番だけである。あたり前の話であるが、エリアが特定されな
ければ、付加すべき市外局番を特定することはできない。そのため、前記使用者により、
前記所定のエリア（例えば、市内）と前記所定のエリア以外（例えば、市外）との選択肢
の中から、前記所定のエリア以外が選択された場合は、前記使用者により入力された市内
局番以降の電話番号に市外局番が付加されることはない。
【００１２】
換言すれば、前記使用者は前記所定のエリアと前記所定のエリア以外との選択肢の中か
ら、前記所定のエリア以外を選択すれば、（市外局番は自動的には付加されないので）市
外局番から電話番号を入力することができる。従って、前記使用者は、前記所定のエリア
に属する施設の電話番号だけでなく、前記所定のエリア以外に属する施設の電話番号につ
いても入力することができる。また、「市内／市外」の選択肢の中からの選択といった手
間にならない単純な操作だけで、市外局番を付加させたり、又は付加させないようにする
ことができる。
【００１３】
また、前記所定のエリアの名称、及び前記所定のエリアに対応する市外局番のうちの少
なくとも一方を前記使用者へ紹介するようにすれば、該使用者の選択間違いを少なくする
ことができる。例えば、「市内／市外」といった選択肢ではなく、「大阪市内／市外」、
「０６／それ以外」、「大阪市内０６／市外」といった選択肢を前記使用者へ紹介するよ
うにする。
【００１４】
また、本発明に係る電話番号入力支援装置（２）は、上記電話番号入力支援装置（１）
において、前記所定のエリアが、現在位置を含むエリア、又は前記使用者の活動拠点を含
むエリアであることを特徴としている。
【００１５】
上記電話番号入力支援装置（２）によれば、前記所定のエリアが、現在位置を含むエリ
ア、又は前記使用者の活動拠点（例えば、自宅、勤務地、学校など）を含むエリアである
ので、現在位置と同じ市内に属する施設、又は自宅や勤務地、学校などの活動拠点と同じ
市内に属する施設など、比較的入力する機会の多いことが想定される施設の電話番号を入
力する場合は、市内局番以降の入力で良いようにすることができる。
【００１６】
また、本発明に係る電話番号入力支援装置（３）は、上記電話番号入力支援装置（１）
又は（２）において、前記入力手段から入力された電話番号を表示領域へ表示する電話番
号表示手段と、前記市外局番読出手段により読み出された前記所定のエリアに対応する市
外局番を、予め前記表示領域へ表示しておく市外局番表示手段とを備えていることを特徴
としている。
【００１７】
上記電話番号入力支援装置（３）によれば、前記所定のエリアに対応する市外局番が前
記表示領域に予め表示されるので、当該市外局番をあたかも前記使用者が入力したような
状態とすることができる。これにより、市内局番以降の電話番号に付加される市外局番の
番号を前記使用者がしっかりと認識することができる。
【００１８】
また、本発明に係る電話番号入力支援装置（４）は、上記電話番号入力支援装置（３）
において、前記入力手段から最初に入力された番号が０であるか否かを判断する番号判断
手段と、該番号判断手段により、前記入力手段から最初に入力された番号が０以外である
と判断された場合、前記入力手段から入力された番号を、市内局番以降の電話番号として
採用する第１の採用手段と、前記番号判断手段により、前記入力手段から最初に入力され
た番号が０であると判断された場合、前記入力手段から入力された番号を、市外局番を含
んだ電話番号として採用する第２の採用手段とを備えていることを特徴としている。
【００１９】
市外局番は「０」から始まるのに対し、市内局番は「０」以外から始まるので、前記所
定のエリアに対応する市外局番が前記表示領域に表示され、当該市外局番があたかも前記
使用者から入力されたような状態から、前記使用者によりそれに続けて市内局番が入力さ
れる場合、最初に入力される番号は「０」以外となる。
【００２０】
上記電話番号入力支援装置（４）によれば、前記所定のエリアに対応する市外局番が前
記表示領域に表示され、当該市外局番があたかも前記使用者から入力されたような状態か
ら、最初に番号「０」以外が入力された場合、前記使用者により当該市外局番に続けて市
内局番の入力が開始された（すなわち、前記所定のエリアと該所定のエリア以外との選択
肢の中から、前記使用者により前記所定のエリアが選択された）と判断され、前記使用者
の入力操作により入力された市内局番以降の電話番号に当該市外局番が付加される。これ
により、「市内／市外」といった選択肢の中からの「市内」の選択を、市内局番の番号入
力で行うことができる。
【００２１】
一方、最初に番号「０」が入力された場合、前記使用者により当該市外局番とは別の市
外局番の入力が開始された（すなわち、前記所定のエリアと該所定のエリア以外との選択
肢の中から、前記使用者により前記所定のエリア以外が選択された）と判断される。これ
により、「市内／市外」といった選択肢の中からの「市外」の選択を、市外局番からの番
号入力で行うことができる。これにより、前記使用者の入力作業を軽減することができる
。
【００２２】
また、本発明に係る電話番号入力支援装置（５）は、使用者による電話番号入力の支援
等を行うための電話番号入力支援装置において、入力手段から入力された電話番号のダイ
ヤルアップを行うダイヤルアップ手段と、該ダイヤルアップ手段によりダイヤルアップさ
れる電話番号に対応する地点を含む地図データを地図データ記憶手段から読み出し、前記
地点を含む地図を表示する地図表示手段とを備えていることを特徴としている。
【００２３】
上記電話番号入力支援装置（５）によれば、ダイヤルアップされる電話番号に対応する
地点を含む地図が表示されるので、前記使用者は電話の相手先となる地点を把握すること
ができる。これは、例えば、行ったことのない飲食店へ、電話を掛けて予約を入れようと
する場合、前記飲食店の場所が分かるので非常に便利である。
【００２４】
また、本発明に係る電話番号入力支援装置（６）は、上記電話番号入力支援装置（５）
において、前記ダイヤルアップ手段によりダイヤルアップが行われた後、使用者により前
記地図の表示が指示されたか否かを判断する表示指示判断手段と、該表示指示判断手段に
より前記地図の表示が指示されたと判断された場合、前記地図表示手段による前記地図の
表示を行わせる表示制御手段とを備えていることを特徴としている。
【００２５】
上記電話番号入力支援装置（６）によれば、前記使用者により入力された電話番号に対
応する地点を含む地図がいつでも自動的に表示されるのではなく、当該電話番号のダイヤ
ルアップが行われた後、前記使用者により前記地図の表示が要求された場合に限り、前記
地図が表示される。これにより、前記地図が無駄に表示されるのを防止することができる
。
【００２６】
また、本発明に係る電話番号入力支援装置（７）は、上記電話番号入力支援装置（５）
において、前記地図表示手段により前記地図が表示された後、使用者によりダイヤルアッ
プの開始が指示されたか否かを判断する開始指示判断手段と、該開始指示判断手段により
ダイヤルアップの開始が指示されたと判断された場合、前記ダイヤルアップ手段によるダ
イヤルアップを行わせる開始制御手段とを備えていることを特徴としている。
【００２７】
上記電話番号入力支援装置（７）によれば、前記使用者により入力された電話番号のダ
イヤルアップがいつでも自動的に行われるのではなく、当該電話番号の地点を含む地図が
表示された後、前記使用者によりダイヤルアップの要求がなされた場合に限り、当該電話
番号のダイヤルアップが行われる。これにより、前記使用者は当該地点の場所を確認して
から、電話を掛けることができる。
【００２８】
また、本発明に係る電話番号入力支援装置（８）は、使用者による電話番号入力の支援
等を行うための電話番号入力支援装置において、地図データ記憶手段から読み出した地図
データに基づいて、地図を表示する地図表示手段と、該地図表示手段により地図が表示さ
れているときに、使用者により特定された前記地図上の地点に対応する電話番号を、位置
と電話番号とを対応付けて記憶する電話番号記憶手段から読み出す電話番号読出手段と、
該電話番号読出手段により読み出された電話番号のダイヤルアップを行うダイヤルアップ
手段とを備えていることを特徴としている。
【００２９】
上記電話番号入力支援装置（８）によれば、前記使用者により特定された地点に対応す
る電話番号のダイヤルアップが可能となるように構成されている。従って、前記使用者は
前記地図上で飲食店などの施設を特定することによって、その施設へ電話を掛けることが
できる。
【００３０】
また、前記地図の表示がスクロール表示された場合、スクロールに従って前記地点を変
更することによって、前記使用者により特定される地点（例えば、ポインティングデバイ
スなどを使って特定された地点）と、ダイヤルアップの対象となる電話番号に対応する地
点とが別の地点とならないようにすることができる。
【００３１】
また、本発明に係る電話番号入力支援装置（９）は、上記電話番号入力支援装置（８）
において、前記電話番号読出手段により読み出された電話番号を表示する電話番号表示手
段と、該電話番号表示手段により表示された電話番号のダイヤルアップの開始が指示され
たか否かを判断する開始指示判断手段と、該開始指示判断手段により前記開始が指示され
たと判断された場合、前記ダイヤルアップ手段によるダイヤルアップを行わせる開始制御
手段とを備えていることを特徴としている。
【００３２】
上記電話番号入力支援装置（９）によれば、前記使用者により前記地図上で特定された
地点に対応する電話番号のダイヤルアップがいつでも自動的に行われるのではなく、当該
電話番号が表示された後、前記使用者によりダイヤルアップの開始が要求された場合に限
り、当該電話番号のダイヤルアップが行われる。これにより、前記使用者は当該地点の場
所を正確に確認してから、適切なタイミングで電話を掛けることができる。
【００３３】
また、本発明に係る地図表示装置（１）は、入力手段から入力された電話番号に対応す
る地点及び／又はエリアを特定する特定手段と、該特定手段により特定された地点及び／
又はエリアを含む地図データを地図データ記憶手段から読み出し、前記電話番号に対応す
る地点及び／又はエリアを含む地図を表示する地図表示手段と、前記電話番号に対応する
地点及び／又はエリアの表示と他の部分の表示とを差別化する表示差別化手段とを備えて
いることを特徴としている。
【００３４】
電話番号は市外局番を含めた１０桁の番号（例えば、市外局番０６−市内局番６×××
−加入者番号５×××）で構成されており、これら１０桁の番号をすべて指定すると、そ
の１０桁の番号に対応する地点を特定することができる。１０桁の番号をすべて指定しな
ければ、地点を特定することはできないが、２桁以上の番号を指定すれば、エリアを特定
することはできる。
【００３５】
例えば、電話番号の先頭２桁が「０６」に指定されている場合、当該電話番号に対応す
るエリアは大阪市内、豊中市内、尼崎市内となる。指定される番号の桁数が増えていけば
、対応するエリアは狭くなっていき、例えば、電話番号の先頭６桁が「０６６３３１」に
指定されると、当該電話番号に対応するエリアは大阪市内のある一部の地域となる。
【００３６】
上記地図表示装置（１）によれば、前記使用者により入力された電話番号に対応する地
点又はエリアを含む地図が表示されるので、前記使用者は入力した電話番号（１０桁の番
号）に対応する地点の場所を確認したり、入力した電話番号（２〜９桁の番号）に対応す
るエリアを確認することができる。
【００３７】
また、当該電話番号に対応する地点及び／又はエリアの表示と他の部分の表示とが差別
化されている。例えば、当該電話番号に対応する地点やエリアが赤みがかった表示にされ
る。これにより、前記使用者は当該電話番号に対応する地点を容易に発見することができ
たり、当該電話番号に対応するエリアとそれ以外とを容易に区別することができる。
【００３８】
また、本発明に係る地図表示装置（２）は、上記地図表示装置（１）において、前記地
図表示手段が、前記入力手段から入力された電話番号の桁数の増加及び／又は減少に合わ
せて、前記電話番号に対応する地点及び／又はエリアを含む地図を表示するものであるこ
とを特徴としている。
【００３９】
上記地図表示装置（２）によれば、前記使用者により入力された電話番号の桁数の増加
及び／又は減少に合わせて、前記電話番号に対応する地点及び／又はエリアを含む地図が
表示されるので、前記使用者から入力される番号の桁数が増えていくに従って、エリアが
狭くなっていったり、逆に入力される番号の桁数が減っていくに従って、エリアが広くな
っていくようにすることができる。これにより、前記使用者による電話番号の入力ミスを
防止することができる。また、使用者は入力しようとしている電話番号に対応する地点の
場所を把握し易くなる。
【００４０】
また、本発明に係る地図表示装置（３）は、上記地図表示装置（１）又は（２）におい
て、前記入力手段から入力された電話番号に対応するエリアの大きさに基づいて、地図の
縮尺率を設定する縮尺率設定手段を備え、前記地図表示手段が、前記縮尺率設定手段によ
り設定された縮尺率に基づいて、前記地図を表示するものであることを特徴としている。
【００４１】
上記地図表示装置（３）によれば、前記使用者により入力された電話番号に対応するエ
リアの大きさに基づいて設定された縮尺率で、前記エリアを含む地図が表示される。従っ
て、前記エリアの大きさに適した縮尺率で地図が表示されるので、使用者は当該電話番号
に対応するエリアをより一層把握し易くなる。
【発明を実施するための最良の形態】
【００４２】
以下、本発明に係る電話番号入力支援装置、及び地図表示装置の実施の形態を図面に基
づいて説明する。図１は、実施の形態（１）に係る電話番号入力支援装置を含んで構成さ
れるナビゲーション装置の要部を概略的に示したブロック図である。図中１はナビゲーシ
ョン装置を示しており、車両Ａ（図示せず）に装備されるようになっている。
【００４３】
ナビゲーション装置１はマイコン２と、位置座標を有する地図データや電話番号に対応
する施設を示した施設データなどが記憶されたＤＶＤ−ＲＯＭ３から地図データなどを読
み出すためのＤＶＤドライブ４と、ボタンスイッチ５ａ及びジョイスティック５ｂを有し
たリモコン５と、ボタンスイッチ６ａ及び表示パネル６ｂを有した表示装置６とを含んで
構成されている。また、表示パネル６ｂの上下左右には複数の赤外線ＬＥＤ（図示せず）
と複数のフォトトランジスタ（図示せず）とが対向して配置され、指が表示パネル６ｂに
触れた位置を検出することができるように構成され、検出された結果についてはマイコン
２で取得することができるようになっている。
【００４４】
マイコン２に接続されている携帯電話などの移動体通信機７は、外部との通話（通常の
電話機能）やサーバーからの情報の受信などに用いるものであり、マイコン２は移動体通
信機７を介してサーバーからの情報を取得することなどができるようになっている。また
、マイコン２に接続されているＧＰＳ受信機８は、アンテナ９を介して衛星からのＧＰＳ
信号を受信するものであり、マイコン２はＧＰＳ信号に基づいて車両Ａの現在位置を割り
出すことができるようになっている。
【００４５】
また、マイコン２には車両Ａの速度に関するデータを検出するための車速センサ１０と
、車両Ａの進行方向に関するデータを取得するためのジャイロセンサ１１と、磁気ディス
クで構成され、データの読み書きが可能であり、各エリアに対応する名称や市外局番を示
した名称データや市外局番データなどが記憶されたＨＤＤ１２とが接続されている。なお
、ここでは地図データが記憶されたＤＶＤ−ＲＯＭ３を採用しているが、別の実施の形態
では、ＤＶＤ−ＲＯＭ３ではなく、その他の記憶媒体や記憶装置を採用しても良く、例え
ば、地図データが記憶されたＨＤＤを採用しても良い。
【００４６】
実施の形態（１）に係る電話番号入力支援装置を含んで構成されるナビゲーション装置
１におけるマイコン２の行う処理動作［１］を図２に示したフローチャートに基づいて説
明する。なお、この処理動作［１］は電話番号入力による目的地の設定が指示された場合
に行われる動作である。まず、ＨＤＤ１２から各エリアに対応する名称や市外局番を示し
た名称データや市外局番データを読み出し、マイコン２内のメモリ（図示せず）に記憶さ
せる（ステップＳ１）。
【００４７】
次に、ＧＰＳ信号から得られる車両Ａの現在位置を示した情報を取得し（ステップＳ２
）、取得した車両Ａの現在位置を示した情報、及び地図データに基づいて、車両Ａが存在
するエリアＥを求め（ステップＳ３）、車両Ａが存在するエリアＥとエリアＥ以外との選
択肢の中から使用者Ｕが選択するための選択画面（図３参照）を表示パネル６ｂ上に表示
する（ステップＳ４）。なお、このときＨＤＤ１２から読み出した名称データ及び市外局
番データに基づいて、車両Ａが存在するエリアＥに対応する名称及び市外局番（例えば、
大阪市内０６）を表示するようにした方が良い。図３に、その表示の一例を示す。
【００４８】
次に、使用者ＵによりエリアＥが選択されたか否かを判断し（ステップＳ５）、使用者
ＵによりエリアＥが選択されたと判断すれば、次に、図４に示したような、電話番号表示
領域１３に市外局番（例えば、０６）が表示されている電話番号入力画面を表示パネル６
ｂ上に表示することによって、使用者Ｕが電話番号を入力し得る環境を設定し（ステップ
Ｓ６）、その後ステップＳ９へ進む。図４に示した電話番号入力画面では、エリアＥに対
応する市外局番が電話番号表示領域１３へ表示され、エリアＥに対応する市外局番が使用
者Ｕにより既に入力されたような状態（すなわち、使用者Ｕは市内局番以降についてのみ
入力すれば良い状態）になっている。また、電話番号入力画面には「完了」ボタンが形成
されるようになっている。
【００４９】
一方、使用者ＵによりエリアＥが選択されていないと判断すれば、次に、使用者Ｕによ
りエリアＥ以外が選択されたか否かを判断する（ステップＳ７）。使用者Ｕによりエリア
Ｅ以外が選択されたと判断すれば、次に、図５に示したような、電話番号表示領域１３に
市外局番が表示されていない電話番号入力画面を表示パネル６ｂ上に表示することによっ
て、使用者Ｕが電話番号を入力し得る環境を設定し（ステップＳ８）、その後ステップＳ
９へ進む。なお、図５に示した電話番号入力画面では、電話番号表示領域１３に１桁も番
号は表示されていないが、別の実施の形態では、先頭１桁目に番号「０」を表示させてお
くようにしても良い。また、ステップＳ７において、使用者ＵによりエリアＥ以外は選択
されていないと判断すれば、そのままステップＳ５へ戻る。
【００５０】
ステップＳ９では、使用者Ｕにより「完了」ボタンが選択されたか否かを判断し、「完
了」ボタンが選択されたと判断すれば、施設データに基づいて、使用者Ｕにより入力され
た電話番号に対応する地点を求める（ステップＳ１０）。例えば、使用者Ｕによりエリア
Ｅが選択された場合には、使用者Ｕにより入力された市内局番以降の電話番号にエリアＥ
に対応する市外局番を付加した番号に対応する地点を求める。
【００５１】
上記実施の形態（１）に係る電話番号入力支援装置を含んで構成されるナビゲーション
装置によれば、使用者Ｕにより入力された市内局番以降の電話番号に、エリアＥ（ここで
は、車両Ａの存在するエリア）に対応する市外局番が付加される。これにより、エリアＥ
に属する施設の電話番号を入力する場合、使用者Ｕは市内局番以降についてのみ入力すれ
ば良く、市外局番を入力しなくても良くなる。
【００５２】
また、使用者ＵはエリアＥ（例えば、大阪市内）とエリアＥ以外（例えば、その他）と
の選択肢の中から、エリアＥ以外を選択すれば、市外局番から電話番号を入力することが
できる。従って、使用者Ｕは、エリアＥに属する施設の電話番号だけでなく、エリアＥ以
外に属する施設の電話番号についても入力することができる。
【００５３】
次に、実施の形態（２）に係る電話番号入力支援装置を含んで構成されるナビゲーショ
ン装置について説明する。但し、このナビゲーション装置はマイコン１を除いて、図１に
示したナビゲーション装置と同様であるので、マイコンには異なる符号を付し、その他の
説明をここでは省略する。
【００５４】
図中１Ａはナビゲーション装置を示しており、ナビゲーション装置１Ａはマイコン２Ａ
と、ＤＶＤドライブ４と、リモコン５と、表示装置６とを含んで構成されている。また、
マイコン２Ａには移動体通信機７と、ＧＰＳ受信機８と、車速センサ１０と、ジャイロセ
ンサ１１と、ＨＤＤ１２とが接続されている。
【００５５】
実施の形態（２）に係る電話番号入力支援装置を含んで構成されるナビゲーション装置
１Ａにおけるマイコン２Ａの行う処理動作［２］を図６に示したフローチャートに基づい
て説明する。なお、この処理動作［２］は、図２に示した処理動作［１］と同様に、電話
番号入力による目的地の設定が指示された場合に行われる動作である。まず、ＨＤＤ１２
から各エリアに対応する名称や市外局番を示した名称データや市外局番データを読み出し
、マイコン２Ａ内のメモリ（図示せず）に記憶させる（ステップＳ１１）。
【００５６】
次に、ＧＰＳ信号から得られる車両Ａの現在位置を示した情報を取得し（ステップＳ１
２）、取得した車両Ａの現在位置を示した情報、及び地図データに基づいて、車両Ａが存
在するエリアＥを求め（ステップＳ１３）、次に、図７に示したような、電話番号表示領
域１４に市外局番（例えば、０６）が表示されている電話番号入力画面を表示パネル６ｂ
上へ表示することによって、使用者Ｕが電話番号を入力し得る環境を設定する（ステップ
Ｓ１４）。図７に示した電話番号入力画面では、エリアＥに対応する市外局番が電話番号
表示領域１４へ表示され、エリアＥに対応する市外局番が使用者Ｕにより既に入力された
ような状態（すなわち、使用者Ｕは市内局番以降についてのみ入力すれば良い状態）にな
っている。また、電話番号入力画面には「完了」ボタンが形成されるようになっている。
【００５７】
次に、使用者Ｕにより最初に入力された番号が「０」であるか否かを判断する（ステッ
プＳ１５）。市外局番は「０」から始まるのに対し、市内局番は「０」以外から始まるの
で、エリアＥに対応する市外局番（例えば、０６）が電話番号表示領域１４に表示され、
市外局番が使用者Ｕにより入力されたような状態から、実際に使用者Ｕによりそれに続け
て市内局番が入力される場合、最初に入力される番号は「０」以外となる。逆に、使用者
Ｕにより最初に入力された番号が「０」である場合、使用者ＵがエリアＥに対応する市外
局番とは別の市外局番の入力を開始したこととなる（すなわち、エリアＥとエリアＥ以外
との選択肢の中から、使用者ＵがエリアＥ以外を選択したこととなる）。
【００５８】
ステップＳ１５において、使用者Ｕにより最初に入力された番号が「０」である（すな
わち、使用者ＵがエリアＥに対応する市外局番とは別の市外局番の入力を開始した）と判
断すれば、次に、電話番号表示領域１４から１桁目の「０」以外の番号を消去し、図８に
示したような電話番号入力画面を表示パネル６ｂへ表示し（ステップＳ１６）、その後ス
テップＳ１７へ進む。
【００５９】
一方、使用者Ｕにより最初に入力された番号が「０」以外である（すなわち、使用者Ｕ
がエリアＥに対応する市外局番に続けて市内局番の入力を開始した）と判断すれば、市外
番号を消去する必要はないので、ステップＳ１６を飛ばしてそのままステップＳ１７へ進
む。なお、使用者Ｕにより最初に入力された番号が「０」以外（例えば、「６」）である
場合には、図９に示したような電話番号入力画面が表示パネル６ｂ上へ表示されることと
なる。
【００６０】
ステップＳ１７では、使用者Ｕにより「完了」ボタンが選択されたか否かを判断し、「
完了」ボタンが選択されたと判断すれば、施設データに基づいて、使用者Ｕにより入力さ
れた電話番号に対応する地点を求める（ステップＳ１８）。例えば、使用者Ｕにより最初
に入力された番号が「０」以外である場合（すなわち、使用者ＵによりエリアＥが選択さ
れた場合）には、使用者Ｕにより入力された市内局番以降の電話番号にエリアＥに対応す
る市外局番を付加した番号に対応する地点を求める。
【００６１】
上記実施の形態（２）に係る電話番号入力支援装置を含んで構成されるナビゲーション
装置によれば、使用者Ｕにより入力された市内局番以降の電話番号に、エリアＥ（ここで
は、車両Ａの存在するエリア）に対応する市外局番が付加される。これにより、エリアＥ
に属する施設の電話番号を入力する場合、使用者Ｕは市内局番以降についてのみ入力すれ
ば良く、市外局番を入力しなくても良くなる。
【００６２】
また、使用者ＵはエリアＥ（例えば、大阪市内）とエリアＥ以外（例えば、その他）と
の選択肢の中から、エリアＥ以外を選択すれば、市外局番から電話番号を入力することが
できる。従って、使用者Ｕは、エリアＥに属する施設の電話番号だけでなく、エリアＥ以
外に属する施設の電話番号についても入力することができる。また、エリアＥとエリアＥ
以外との選択肢の中からの選択が、市内局番の番号入力や市外局番の番号入力で行われる
ので、使用者Ｕの入力作業を軽減することができる。
【００６３】
なお、上記実施の形態（１）又は（２）に係る電話番号入力支援装置では、使用者Ｕの
乗車している車両Ａの現在位置（すなわち、使用者Ｕの現在位置）が存在するエリアＥに
対応する市外局番を入力しなくて良い場合について説明しているが、エリアＥについては
、使用者Ｕの現在位置が存在するエリアに限定されるものではなく、別の実施の形態では
、エリアＥを使用者Ｕの活動拠点（例えば、自宅、勤務地、学校）が存在するエリアに設
定するようにしても良い。また、さらに別の実施の形態では、市外局番を入力しなくて良
いエリアを２つ以上設定するようにしても良い。例えば、エリアＥとして、現在位置が存
在するエリアＥ１と自宅が存在するエリアＥ２とを設定する。
【００６４】
また、上記実施の形態（１）又は（２）に係る電話番号入力支援装置では、電話番号入
力の支援を、電話番号入力による目的地の設定の場合について説明しているが、本発明に
係る電話番号入力支援装置は、目的地設定での電話番号入力の支援に限定されるものでは
なく、その他の場合にも利用可能であり、例えば、電話での通話を行う場合の電話番号入
力についても支援することができる。
【００６５】
次に、実施の形態（３）に係る電話番号入力支援装置を含んで構成されるナビゲーショ
ン装置について説明する。但し、このナビゲーション装置はマイコン１を除いて、図１に
示したナビゲーション装置と同様であるので、マイコンには異なる符号を付し、その他の
説明をここでは省略する。
【００６６】
図中１Ｂはナビゲーション装置を示しており、ナビゲーション装置１Ｂはマイコン２Ｂ
と、ＤＶＤドライブ４と、リモコン５と、表示装置６とを含んで構成されている。また、
マイコン２Ａには移動体通信機７と、ＧＰＳ受信機８と、車速センサ１０と、ジャイロセ
ンサ１１と、ＨＤＤ１２とが接続されている。
【００６７】
実施の形態（３）に係る電話番号入力支援装置を含んで構成されるナビゲーション装置
１Ｂにおけるマイコン２Ｂの行う処理動作［３］を図１０に示したフローチャートに基づ
いて説明する。なお、この処理動作［３］は、使用者Ｕにより外部との通話が要求された
場合に行われる動作である。まず、図１１に示したような、電話番号表示領域１５を有し
た電話番号入力画面を表示パネル６ｂ上に表示することによって、使用者Ｕが電話番号を
入力し得る環境を設定する（ステップＳ２１）。
【００６８】
次に、１０桁の番号（例えば、市外局番０６−市内局番６×××−加入者番号５×××
）の入力が完了しているか否かを判断し（ステップＳ２２）、１０桁の番号の入力が完了
していると判断すれば、施設データに基づいて、使用者Ｕにより入力された電話番号に対
応する地点Ｔを求め（ステップＳ２３）、求めた地点Ｔを含む地図データを読み出し、図
１２に示したような、地点Ｔを含む地図ＭＢを表示パネル６ｂ上に表示し（ステップＳ２
４）、その後ステップＳ２５へ進む。なお、地図ＭＢ上には使用者Ｕがダイヤルアップを
指示するための「発信」ボタンが形成されるようになっている。
【００６９】
ステップＳ２５では、使用者Ｕにより「発信」ボタンが選択されたか否かを判断し、「
発信」ボタンが選択されたと判断すれば、次に、移動体通信機７を制御することによって
、使用者Ｕにより入力された電話番号のダイヤルアップを行う（ステップＳ２６）。一方
、「発信」ボタンは選択されていないと判断すれば、ステップＳ２５へ戻る。
【００７０】
上記実施の形態（３）に係る電話番号入力支援装置を含んで構成されるナビゲーション
装置によれば、ダイヤルアップされる電話番号に対応する地点Ｔを含む地図ＭＢが表示さ
れるので、使用者Ｕは電話の相手先となる地点Ｔを把握することができる。これは、例え
ば、行ったことのない飲食店へ、電話を掛けて予約を入れようとする場合、前記飲食店の
場所が分かるので非常に便利となる。
【００７１】
なお、上記実施の形態（３）に係る電話番号入力支援装置では、電話番号の入力が完了
すると、入力された電話番号に対応する地点Ｔを含む地図ＭＢを自動的に表示し、ダイヤ
ルアップを使用者Ｕからの要求があった場合に行うようにしているが、別の実施の形態で
は、地図表示とダイヤルアップの両方を自動的に行うようにしたり、又はダイヤルアップ
を自動的に行い、地図表示を使用者Ｕからの要求があった場合に行うようにしても良い。
また、さらに別の実施の形態では、電話番号の入力完了後に自動的に行うのか、又は使用
者Ｕからの要求後に行うのかを、使用者Ｕが予め設定できるようにしても良い。
【００７２】
次に、実施の形態（４）に係る電話番号入力支援装置を含んで構成されるナビゲーショ
ン装置について説明する。但し、このナビゲーション装置はマイコン１を除いて、図１に
示したナビゲーション装置と同様であるので、マイコンには異なる符号を付し、その他の
説明をここでは省略する。
【００７３】
図中１Ｃはナビゲーション装置を示しており、ナビゲーション装置１Ｃはマイコン２Ｃ
と、ＤＶＤドライブ４と、リモコン５と、表示装置６とを含んで構成されている。また、
マイコン２Ａには移動体通信機７と、ＧＰＳ受信機８と、車速センサ１０と、ジャイロセ
ンサ１１と、ＨＤＤ１２とが接続されている。
【００７４】
実施の形態（４）に係る電話番号入力支援装置を含んで構成されるナビゲーション装置
１Ｃにおけるマイコン２Ｃの行う処理動作［４］を図１３に示したフローチャートに基づ
いて説明する。なお、この処理動作［４］は、使用者Ｕにより外部との通話が要求された
場合に行われる動作である。まず、ＧＰＳ信号から得られる車両Ａの現在位置を示した情
報を取得し（ステップＳ３１）、取得した車両Ａの現在位置を示した情報、及び地図デー
タに基づいて、図１４に示したように、車両Ａの現在位置を含む地図ＭＣ1を表示パネル６ｂ上に表示する（ステップＳ３２）。なお、表示パネル６ｂ上に表示された地図ＭＣ1については、表示の拡大・縮小、そしてスクロールが可能となるように構成されている。
【００７５】
次に、リモコン５などが操作されることによって、リモコン５などから得られる信号に
基づいて、表示パネル６ｂ上に表示されている地図ＭＣ1の拡大や縮小、スクロールを行う（ステップＳ３３）。次に、地図表示の縮尺率が（可能な範囲で）最大となっているか
否か（すなわち、地図が最も詳細な表示となっているか否か）を判断し（ステップＳ３４
）、地図表示の縮尺率が最大となっていると判断すれば、図１６に示したように、リモコ
ン５に設けられているジョイスティック５ｂなどで操作可能となるポインタＰを地図ＭＣ2上に表示し（ステップＳ３５）、その後、ポインタＰが地図ＭＣ2上に表示されていることを示すためのポインタ表示フラグｆを１にする（ステップＳ３６）。
【００７６】
次に、地図データに基づいて、ポインタＰの示す地点（施設）を算出し（ステップＳ３
７）、施設データに基づいて、ポインタＰの示す地点（施設）の電話番号データを読み出
し（ステップＳ３８）、読み出した電話番号データに基づいて、ポインタＰの示す地点（
施設）の電話番号を電話番号表示領域１６に表示し（ステップＳ３９）、その後ステップ
Ｓ４０へ進む。なお、地図ＭＣ2上には使用者Ｕがダイヤルアップを指示するための「発信」ボタンが形成されるようになっている。
【００７７】
ステップＳ４０では、使用者Ｕにより「発信」ボタンが選択されたか否かを判断し、「
発信」ボタンが選択されたと判断すれば、次に、移動体通信機７を制御することによって
、使用者Ｕにより指定された地点に対応する（電話番号表示領域１６に表示されている）
電話番号のダイヤルアップを行う（ステップＳ４１）。一方、使用者Ｕにより「発信」ボ
タンは選択されていないと判断すれば、ステップＳ３３へ戻る。
【００７８】
また、ステップＳ３４において、地図表示の縮尺率が最大になっていないと判断すれば
、次に、ポインタ表示フラグｆが１であるか否かを判断し（ステップＳ４２）、ポインタ
表示フラグｆが１であると判断すれば、地図上からポインタＰと「発信」ボタンとを消去
し（ステップＳ４３、Ｓ４４）、ポインタ表示フラグｆを０に戻し（ステップＳ４５）、
そしてステップＳ３３へ戻る。一方、ポインタ表示フラグｆが１でないと判断すれば、ス
テップＳ４３〜Ｓ４５の処理を行う必要がないので、そのままステップＳ３３へ戻る。
【００７９】
上記実施の形態（４）に係る電話番号入力支援装置を含んで構成されるナビゲーション
装置によれば、使用者Ｕにより地図上で特定された地点に対応する電話番号のダイヤルア
ップが可能となるように構成されている。従って、使用者Ｕは地図上で飲食店などの施設
を特定することによって、その施設へ電話を掛けることができる。
【００８０】
次に、実施の形態（５）に係る地図表示装置を含んで構成されるナビゲーション装置に
ついて説明する。但し、このナビゲーション装置はマイコン１を除いて、図１に示したナ
ビゲーション装置と同様であるので、マイコンには異なる符号を付し、その他の説明をこ
こでは省略する。
【００８１】
図中１Ｄはナビゲーション装置を示しており、ナビゲーション装置１Ｄはマイコン２Ｄ
と、ＤＶＤドライブ４と、リモコン５と、表示装置６とを含んで構成されている。また、
マイコン２Ａには移動体通信機７と、ＧＰＳ受信機８と、車速センサ１０と、ジャイロセ
ンサ１１と、磁気ディスクで構成され、データの読み書きが可能であり、各エリアに対応
する電話番号データなどが記憶されたＨＤＤ１２Ｄとが接続されている。
【００８２】
電話番号の先頭２桁が「０６」に指定されている場合、当該電話番号に対応するエリア
は大阪市内、豊中市内、尼崎市内となる。指定される番号の桁数が増えていけば、対応す
るエリアは狭くなっていき、例えば、電話番号の先頭４桁が「０６６９」に指定されると
、当該電話番号に対応するエリアは主に大阪市内に属するある地域となり、電話番号の先
頭４桁が「０６６８」に指定されると、当該電話番号に対応するエリアは主に豊中市内に
属するある地域となり、電話番号の先頭４桁が「０６６４」に指定されると、当該電話番
号に対応するエリアは主に尼崎市内に属するある地域となる。また、電話番号１０桁すべ
てが指定されると、当該電話番号に対応する地点（施設）が特定される。ＨＤＤ１２Ｄに
は、このようなエリアと電話番号との関係を示したデータや、各地点（施設）と電話番号
との関係を示したデータなどが記憶されている。
【００８３】
実施の形態（５）に係る地図表示装置を含んで構成されるナビゲーション装置１Ｄにお
けるマイコン２Ｄの行う処理動作［５］を図１６に示したフローチャートに基づいて説明
する。なお、この処理動作［５］は、使用者Ｕにより外部との通話が要求された場合に行
われる動作である。まず、図１７に示したような、電話番号表示領域１７を有した電話番
号入力画面を表示パネル６ｂ上に表示することによって、使用者Ｕが電話番号を入力し得
る環境を設定する（ステップＳ５１）。
【００８４】
次に、１０桁の番号（例えば、市外局番０６−市内局番６×××−加入者番号５×××
）の入力が完了しているか否かを判断し（ステップＳ５２）、１０桁の番号の入力が完了
していないと判断すれば、エリアと電話番号との関係を示した電話番号データに基づいて
、使用者Ｕにより入力された番号に対応するエリアを求める（ステップＳ５３）。例えば
、入力された番号が「０６」であれば、当該番号に対応するエリアは大阪市内、豊中市内
、尼崎市内を含むエリアとなり、入力された番号が「０６６３３１」であれば、当該番号
に対応するエリアは大阪市内のある一部のエリアとなる。
【００８５】
なお、ここでは各エリアと電話番号との関係を示したデータに基づいて、当該番号に対
応するエリアを求めるようになっているが、別の実施の形態では、各地点と電話番号との
関係を示したデータに基づいて、当該番号に対応する地点を求め、その地点の集合からエ
リアを求めるようにしても良い。
【００８６】
次に、使用者Ｕにより入力された番号に対応するエリアが存在するか否かを判断し（ス
テップＳ５４）、当該番号に対応するエリアが存在すると判断すれば、図１７、図１８に
示したように、地図データに基づいて当該エリアＥＤ1、ＥＤ2を含む地図ＭＤ1、ＭＤ2を表示パネル６ｂ上に表示し（ステップＳ５５）、その後ステップＳ５２へ戻る。なお、このときエリアＥＤ1、ＥＤ2の表示と他の部分の表示との差別化を図るために、エリアＥＤ1、ＥＤ2については赤みがかった表示とするようになっている。また、別の実施の形態では、エリアＥＤ1、ＥＤ2の大きさに基づいて、表示すべき地図ＭＤ1、ＭＤ2の縮尺率を設定するようにしても良い。例えば、エリアが広い場合には、縮尺率を小さくし、逆にエリアが狭い場合には、縮尺率を大きくする。
【００８７】
一方、ステップＳ５４において、当該番号に対応するエリアが存在しない（すなわち、
使用者Ｕにより入力された番号に対応する施設は存在しない）と判断すれば、使用者Ｕが
番号の入力ミスをしていると看做して、電話番号表示領域１７を点滅表示させるなどの注
意処理を行うことによって、使用者Ｕに入力ミスを犯していることを知らせ（ステップＳ
５６）、その後ステップＳ５２へ戻る。
【００８８】
ステップＳ５２において、１０桁の番号の入力が完了していると判断すれば、施設デー
タに基づいて、使用者Ｕにより入力された電話番号に対応する地点を求める（ステップＳ
５７）。次に、当該電話番号に対応する地点が存在するか否かを判断し（ステップＳ５８
）、当該電話番号に対応する地点が存在すると判断すれば、当該地点を含む地図データを
読み出し、図１９に示したような、当該地点Ｔを含む地図ＭＤ3を表示パネル６ｂ上に表示し（ステップＳ５９）、その後ステップＳ６０へ進む。なお、地図ＭＤ3上には使用者Ｕがダイヤルアップを指示するための「発信」ボタンが形成されている。また、使用者Ｕにより入力された電話番号に対応する地点Ｔについては、他の部分との差別化を図るためには赤みがかった表示とするようになっている。
【００８９】
ステップＳ６０では、使用者Ｕにより「発信」ボタンが選択されたか否かを判断し、「
発信」ボタンが選択されたと判断すれば、次に、移動体通信機７を制御することによって
、使用者Ｕにより入力された電話番号のダイヤルアップを行う（ステップＳ６１）。一方
、「発信」ボタンは選択されていないと判断すれば、ステップＳ５２へ戻る。
【００９０】
一方、ステップＳ５８において、当該電話番号に対応するエリアが存在しない（すなわ
ち、使用者Ｕにより入力された番号に対応する施設は存在しない）と判断すれば、使用者
Ｕが番号の入力ミスをしていると看做して、電話番号表示領域１７を点滅表示させるなど
の注意処理を行うことによって、使用者Ｕに入力ミスを犯していることを知らせ（ステッ
プＳ６２）、その後ステップＳ５２へ戻る。
【００９１】
上記実施の形態（５）に係る地図表示装置を含んで構成されるナビゲーション装置によ
れば、使用者Ｕにより入力された電話番号に対応する地点Ｔ又はエリアＥＤ1、ＥＤ2を含む地図ＭＤ3、ＭＤ1、ＭＤ2が表示されるので、使用者Ｕは入力した電話番号（１０桁の番号）に対応する地点Ｔの場所を確認したり、入力した電話番号（２〜９桁の番号）に対応するエリアＥＤ1、ＥＤ2を確認することができる。
【００９２】
また、当該電話番号に対応する地点Ｔ、エリアＥＤ1、ＥＤ2の表示と他の部分の表示とが差別化されている。すなわち、当該電話番号に対応する地点ＴやエリアＥＤ1、ＥＤ2が赤みがかった表示にされる。これにより、使用者Ｕは当該電話番号に対応する地点Ｔを容易に発見することができたり、当該電話番号に対応するエリアＥＤ1、ＥＤ2とそれ以外とを容易に区別することができる。
【図面の簡単な説明】
【００９３】
【図１】本発明の実施の形態（１）に係る電話番号入力支援装置を含んで構成されるナビゲーション装置の要部を概略的に示したブロック図である。
【図２】実施の形態（１）に係る電話番号入力支援装置を含んで構成されるナビゲーション装置におけるマイコンの行う処理動作を示したフローチャートである。
【図３】実施の形態（１）に係る電話番号入力支援装置を含んで構成されるナビゲーション装置における表示装置に表示される表示例を示した図である。
【図４】実施の形態（１）に係る電話番号入力支援装置を含んで構成されるナビゲーション装置における表示装置に表示される表示例を示した図である。
【図５】実施の形態（１）に係る電話番号入力支援装置を含んで構成されるナビゲーション装置における表示装置に表示される表示例を示した図である。
【図６】実施の形態（２）に係る電話番号入力支援装置を含んで構成されるナビゲーション装置におけるマイコンの行う処理動作を示したフローチャートである。
【図７】実施の形態（２）に係る電話番号入力支援装置を含んで構成されるナビゲーション装置における表示装置に表示される表示例を示した図である。
【図８】実施の形態（２）に係る電話番号入力支援装置を含んで構成されるナビゲーション装置における表示装置に表示される表示例を示した図である。
【図９】実施の形態（２）に係る電話番号入力支援装置を含んで構成されるナビゲーション装置における表示装置に表示される表示例を示した図である。
【図１０】実施の形態（３）に係る電話番号入力支援装置を含んで構成されるナビゲーション装置におけるマイコンの行う処理動作を示したフローチャートである。
【図１１】実施の形態（３）に係る電話番号入力支援装置を含んで構成されるナビゲーション装置における表示装置に表示される表示例を示した図である。
【図１２】実施の形態（３）に係る電話番号入力支援装置を含んで構成されるナビゲーション装置における表示装置に表示される表示例を示した図である。
【図１３】実施の形態（４）に係る電話番号入力支援装置を含んで構成されるナビゲーション装置におけるマイコンの行う処理動作を示したフローチャートである。
【図１４】実施の形態（４）に係る電話番号入力支援装置を含んで構成されるナビゲーション装置における表示装置に表示される表示例を示した図である。
【図１５】実施の形態（４）に係る電話番号入力支援装置を含んで構成されるナビゲーション装置における表示装置に表示される表示例を示した図である。
【図１６】実施の形態（５）に係る地図表示装置を含んで構成されるナビゲーション装置におけるマイコンの行う処理動作を示したフローチャートである。
【図１７】実施の形態（５）に係る地図表示装置を含んで構成されるナビゲーション装置における表示装置に表示される表示例を示した図である。
【図１８】実施の形態（５）に係る地図表示装置を含んで構成されるナビゲーション装置における表示装置に表示される表示例を示した図である。
【図１９】実施の形態（５）に係る地図表示装置を含んで構成されるナビゲーション装置における表示装置に表示される表示例を示した図である。
【符号の説明】
【００９４】
１、１Ａ〜１Ｄ  ナビゲーション装置
２、２Ａ〜２Ｄ  マイコン
７  移動体通信機
１２、１２Ｄ  ＨＤＤ
【図１】
2006229434.tif 000003
【図２】
2006229434.tif 000004
【図３】
2006229434.tif 000005
【図４】
2006229434.tif 000006
【図５】
2006229434.tif 000007
【図６】
2006229434.tif 000008
【図７】
2006229434.tif 000009
【図８】
2006229434.tif 000010
【図９】
2006229434.tif 000011
【図１０】
2006229434.tif 000012
【図１１】
2006229434.tif 000013
【図１２】
2006229434.tif 000014
【図１３】
2006229434.tif 000015
【図１４】
2006229434.tif 000016
【図１５】
2006229434.tif 000017
【図１６】
2006229434.tif 000018
【図１７】
2006229434.tif 000019
【図１８】
2006229434.tif 000020
【図１９】
2006229434.tif 000021